(57)【要約】      （修正有）【課題】所望の範囲を適切に照明することができるとともに、不要な方向への光の照射を低減できる照明器具を提供する。【解決手段】照明器具１は、回動自在なアーム部１１と、ベース部１２とから構成され、アーム部１１は、光源としてそれぞれＬＥＤが装着された複数の照明ユニットＬ１１〜Ｌ１７から構成され、照明ユニットＬ１１〜Ｌ１７は、それぞれＬＥＤの光軸と略直交する方向の両端に開口する連結部材１８を備え、連結部材１８同士を共通に貫通するとともに前記光軸と平行なピン１９を介して連なるように連結される。照明ユニットＬ１１〜Ｌ１７を連結部材１８とピン１９を介して、ＬＥＤの光軸と略直交する方向の平面で任意の形状に屈曲させることで、アーム部１１下方の所望の範囲を集中的に照明する。【選択図】図１
2009277629.tif 000002
【特許請求の範囲】
【請求項１】
光源を備えた照明ユニットと、前記照明ユニットを支持し、面内で折れ曲がり自在なアーム部とを備えた照明器具であって、
前記照明ユニットは、
それぞれに前記光源を装着し、前記光源の光軸は前記アーム部の回動軸に対して略平行となるように、前記アーム部を介して連結された照明器具。
【請求項２】
請求項１に記載の照明器具であって、
前記アーム部は、前記光源を点滅制御する点灯回路を内装したベース部に接続された照明器具。
【請求項３】
請求項１または２に記載の照明器具であって、
前記アーム部は、
前記光源の光軸と略直交する方向の両端に開口する連結部材を備え、
隣接する前記照明ユニットの前記連結部材同士を共通に貫通すると共に前記光軸に平行なピン部材を介して連結された複数の照明ユニットを具備した照明器具。
【請求項４】
請求項１乃至３のいずれかに記載の照明器具であって、
前記照明ユニットは、
前記光源を点滅制御するスイッチを備えた照明器具。
【請求項５】
請求項２乃至４のいずれかに記載の照明器具であって、
前記点灯回路は、
前記光源を独立して点滅制御、又は調光制御する照明器具。
【請求項６】
請求項１乃至５のいずれかに記載の照明器具であって、
前記光源は、
ＬＥＤである照明器具。
【発明の詳細な説明】
【技術分野】
【０００１】
本発明は、所望の範囲を適切に照明することのできる照明器具に関する。
【背景技術】
【０００２】
従来から、局所的な所望の範囲のみを照明することができるスタンド型照明器具がある。このスタンド型照明器具は、卓上などに設置するベース部に支柱部を立設し、支柱部の上端部に蛍光灯や白熱灯等の光源を装着したヘッド部を接続して構成され、所定の方向にのみ光を照射するものである。
【０００３】
近年では、消費電力を低減し長寿命を維持するために、発光ダイオード（ＬＥＤ）を照明用光源としたスタンド型照明器具が提案されている。例えば、内部にＬＥＤを配設したリジッドパイプと、蛇腹状或いはコイル状に形成したフレキシブルパイプを交互に回動自在な状態で一体的に接合してアーム部を構成し、アーム部の全体、若しくは一部を屈曲させることによって、所望の範囲を集中的に照明できるようにしたものがある（例えば、特許文献１参照）。
【０００４】
また、図５及び図６に示すように、ベース部３２から立設する可撓性のアーム部３３に多数のＬＥＤを配設したヘッド部３１を設けて構成し、このヘッド部３１を所定形状に撓み変形させることによって、ＬＥＤの照光範囲ａを調整可能にしたスタンド型照明器具の例がある（例えば、特許文献２参照）。
【０００５】
しかしながら、蛍光灯や白熱灯等を光源とする上記従来のスタンド型照明器具は、光源がスタンドの１箇所に設置されているので、光の照射範囲を自由に変化させることができなかった。
【０００６】
また、特許文献１に記載のスタンド型照明器具は、アーム部を屈曲させることによって
ＬＥＤ毎に照射面との距離が変化してしまい、照光範囲における照度にむらが生じ、また照度を調節することが困難であった。
【０００７】
更に、特許文献２に記載の例では、アーム部３３は自由度の高い変形が可能であるものの、変形によって光軸が３次元的に変化するため、机上等の照射面だけでなく、不要な方向にも光が照射されてしまう可能性がある。また、アーム部３３を一旦変形させてしまうと、変形前の状態に戻すことは困難である。
【０００８】
また、アーム３３部の全ての部分から同じ出力の光が放射されるため、ＬＥＤの一部を消灯させて配光状態を変化させることができない等の問題点がある。
【０００９】
【特許文献１】特開２００７−５９２８４号公報
【特許文献２】実用新案登録第３１２７９９５号公報
【発明の開示】
【発明が解決しようとする課題】
【００１０】
本発明は、前記実情に鑑みてなされたもので、所望の範囲を適切に照明することができるとともに、不要な方向への光の照射を低減することの可能な照明器具を提供することを目的とする。
【課題を解決するための手段】
【００１１】
本発明は、光源を備えた照明ユニットと、前記照明ユニットを支持し、面内で折れ曲がり自在なアーム部とを備えた照明器具であって、前記照明ユニットは、それぞれに前記光源を装着し、前記光源の光軸は前記アーム部の回動軸に対して略平行となるように、前記アーム部を介して連結されたことを特徴とする。
【００１２】
この構成により、アーム部を光源の光軸と略直交する方向の平面で自在に屈曲させることで、光源の照射面において所望の範囲を適切に照明することができるとともに、不要な方向への光の照射を低減することが可能となる。
また、本発明は、上記照明器具において、前記アーム部は、前記光源を点滅制御する点灯回路を内装したベース部に接続されたものを含む。
【００１３】
更に、本発明は、上記の照明器具において、前記アーム部は、前記光源の光軸と略直交する方向の両端に開口する連結部材を備え、隣接する前記照明ユニットの前記連結部材同士を共通に貫通すると共に前記光軸に平行なピン部材を介して連結された複数の照明ユニットから構成されるものを含む。
【００１４】
この構成により、隣接する照明ユニットの連結部材同士をピン部材を介して連結することで、アーム部を光源の光軸と略直交する方向の平面で自在に屈曲させ、光源の照射面において所望の範囲を適切に照明することができ、不要な方向への光の照射を低減することが可能となる。
【００１５】
更に、本発明は、上記の照明器具において、前記照明ユニットは、前記光源を点滅制御するスイッチを備えるものを含む。
【００１６】
この構成により、ヘッド部を光源の光軸と略直交する方向の平面で自在に屈曲させるとともに、光源を個々に点灯制御することで、光源の照射面において所望の範囲を適切に照明することができ、不要な方向への光の照射を低減することが可能となる。
【００１７】
また、本発明は、上記の照明器具において、前記点灯回路は、前記光源を独立して点滅制御、又は調光制御するものを含む。
【００１８】
この構成により、ヘッド部を光源の光軸と略直交する方向の平面で自在に屈曲させるとともに、光源を個々に点灯制御、又は調光制御することで、光源の照射面において所望の範囲を適切に照明することができ、不要な方向への光の照射を低減することが可能となる。
【００１９】
また、本発明は、上記の照明器具において、前記光源は、ＬＥＤであるものを含む。
【００２０】
この構成により、消費電力が少なくて、かつ寿命が長く、光源の照射面において所望の範囲を適切に照明することができるとともに、不要な方向への光の照射を低減することが可能となる。
【発明の効果】
【００２１】
本発明によれば、所望の範囲を適切に照明することができるとともに、不要な方向への光の照射を低減することが可能な照明器具を提供できる。
【発明を実施するための最良の形態】
【００２２】
以下、本発明の実施の形態に係る照明器具について、図面を用いて説明する。
【００２３】
（実施の形態１）
図１は、本発明の実施の形態１に係る照明器具の概略構成を示す図である。
【００２４】
図１において、本実施の形態における照明器具１は、光源が装着されたアーム部１１と、机や壁等に載置又は固定させるためのベース部１２とを具備し、アーム部１１はベース部１２に接続された支持柱１３で支持されている。
【００２５】
アーム部１１は、光源としてそれぞれＬＥＤ１０が装着された複数の照明ユニットＬ１１〜Ｌ１７から構成され、照明ユニットＬ１１〜Ｌ１７は、それぞれＬＥＤ１０の光軸と略直交する方向の両端に開口する連結部材１８を備え、連結部材１８同士を共通に貫通するピン１９を介して連なるように連結されている。なお、本実施の形態においては、照明ユニットを７個として示したが、これに限ることなく、複数であればいくつであってもよい。
【００２６】
ベース部１２は、ＬＥＤ１０を所定の明るさで点灯させるための点灯回路１２１が内部に収納され、表面にメインスイッチ１２２を有する構成である。また、支持部１３は筒状に構成され、内部に点灯回路１２１からＬＥＤ１０に至る配線１３１が挿通されている。なお、点灯回路１２１には、プラグ１３３を介して商用電源が供給される。
【００２７】
このように構成された本実施の形態の照明器具１は、ベース部１２のメインスイッチ１２２を操作することで、すべてのＬＥＤ１０を点滅させることができる。
【００２８】
そして、メインスイッチ１２２をオンしてＬＥＤ１０を点灯させた際に、照明ユニットＬ１１〜Ｌ１７を連結部材１８とピン１９を介して、ＬＥＤ１０の光軸と略直交する方向の平面で任意の形状に屈曲させることで、アーム部１１下方の所望の範囲を集中的に照明することができる。
【００２９】
図２は、本実施の形態に係る照明器具１の照明動作を説明するための概略図である。
【００３０】
図２において、メインスイッチ１２２をオンして全てのＬＥＤ１０を点灯させた際に、照明ユニットＬ１１〜Ｌ１７を連結部材１８とピン１９を介して、ＬＥＤ１０の光軸と略直交する方向の平面で「逆６の字」状に屈曲させることにより、照光範囲ＡおよびＢを得ることができる。このとき、ＡおよびＢ以外の範囲に照明が及ぶことを低減することができる。
【００３１】
このように本実施の形態の照明器具によれば、机上等の所望の範囲を適切に照明することができ、また不要な方向への光の照射を低減することが可能となる。
【００３２】
（実施の形態２）
図３は、本発明の実施の形態２に係る照明器具の概略構成を示す図である。
【００３３】
図３において、本実施の形態における照明器具２は、実施の形態１において図１に示した照明器具１のアーム部１１に代え、アーム部２１を備える構成である。両図面で共通する部分については、同一符号を付して重複する説明を省略する。
【００３４】
アーム部２１は、実施の形態１において図１に示した照明ユニットＬ１１〜Ｌ１７に代えて、照明ユニットＬ２１〜Ｌ２７を有する構成である。
【００３５】
照明ユニットＬ２１〜Ｌ２７は、それぞれＬＥＤ１０を個別にオン、オフするためのスイッチ２１１を備えて構成される。
【００３６】
このように構成された本実施の形態の照明器具２は、ベース部１２のメインスイッチ１２２を操作することで、すべてのＬＥＤ１０を同時に点滅させることができる。
【００３７】
また、メインスイッチ１２２をオンした際に、照明ユニットＬ２１〜Ｌ２７のスイッチ２１１を選択して操作することで、ＬＥＤ１０を個別に点滅させることができる。
【００３８】
そして、これらＬＥＤ１０の一部、或いは全部を点灯させた際に、照明ユニットＬ１１〜Ｌ１７を連結部材１８とピン１９を介して、ＬＥＤ１０の光軸と略直交する方向の平面で任意の形状に屈曲させることで、アーム部１１下方の所望の範囲を集中的に照明することができる。なおこのピン１９がＬＥＤ１０の光軸に平行となっている。
【００３９】
図４は、本実施の形態に係る照明器具２の照明動作を説明するための概略図である。
【００４０】
図４において、メインスイッチ１２２をオンするとともに、照明ユニットＬ２１〜Ｌ２３のスイッチ２１１をオフし、照明ユニットＬ２４〜Ｌ２７のスイッチ２１１をオンした際に、照明ユニットＬ１１〜Ｌ１７を連結部材１８とピン１９を介して、ＬＥＤ１０の光軸と略直交する方向の平面で「逆６の字」状に屈曲させることにより、照光範囲Ａを得ることができる。このとき、Ａ以外の範囲に照明が及ぶことを低減することができる。
【００４１】
このように本実施の形態の照明器具によれば、机上等の所望の範囲を適切に照明することができ、また不要な方向への光の照射を低減することが可能となる。
【００４２】
なお、本実施の形態では、照明ユニットＬ２１〜Ｌ２７にそれぞれスイッチ２１１を設けることにより、ＬＥＤ１０を個別に点滅できる構成としたが、照明ユニットＬ２１〜Ｌ２７にスイッチ２１１を設けることなく、点灯回路１２１によってＬＥＤ１０を個別に点滅制御、又は調光制御するようにしてもよい。
【産業上の利用可能性】
【００４３】
本発明の照明器具は、所望の範囲を適切に照明することができるとともに、不要な方向への光の照射を低減することが可能である効果を有し、タスクスタンド等のスタンド型照明器具に有用である。
【図面の簡単な説明】
【００４４】
【図１】本発明の実施の形態１に係る照明器具の概略構成を示す図
【図２】本発明の実施の形態１に係る照明器具の照明動作を説明するための概略図
【図３】本発明の実施の形態２に係る照明器具の概略構成を示す図
【図４】本発明の実施の形態２に係る照明器具照明動作を説明するための概略図
【図５】従来のスタンド型照明器具の概略構成を示す図
【図６】従来のスタンド型照明器具において、照光範囲を変化させる場合の動作状態を示す図
【符号の説明】
【００４５】
１、２  照明器具
１０  ＬＥＤ
１１、２１  アーム部
１２  ベース部
１３  支持部
１８  連結部材
１９  ピン
２１１  スイッチ
Ｌ１１〜Ｌ１７、Ｌ２１〜Ｌ２７  照明ユニット
【図１】
2009277629.tif 000003
【図２】
2009277629.tif 000004
【図３】
2009277629.tif 000005
【図４】
2009277629.tif 000006
【図５】
2009277629.tif 000007
【図６】
2009277629.tif 000008